(57)【要約】【課題】基地局装置と交換機間の物理回線の使用に障害が生じた場合に、移動局装置の処理負荷が大きくなってしまうことを防止する。【解決手段】複数のＢＣＨを選択的に用いて通信接続されている基地局装置２０と交換機１０とを含む移動体通信システム１において、基地局装置２０は、リンクを示すリンク識別情報と対応付けて記憶部２１１に記憶されるＢＣＨの使用に障害が生じたことを検出する検出部２４２と、検出部２４２の検出結果に応じて、上記リンク識別情報と対応付けて記憶部１２１及び２１１に記憶されるＢＣＨを、前記複数のＢＣＨのうち、上記リンク識別情報と対応付けて各記憶部に既に記憶されている物理回線情報により示されるＢＣＨ以外のＢＣＨに変更する処理を行う物理回線情報変更部２２２と、をさらに含む、ことを特徴とする。【選択図】図１
2008011109.tif 000002
【特許請求の範囲】
【請求項１】
複数の物理回線を選択的に用いて通信接続されている基地局装置と交換機とを含み、移動局装置が、前記複数の物理回線のうちのいずれかを含んで構成されるリンクを用いて通信を行う移動体通信システムであって、
前記基地局装置及び前記交換機は、
前記リンクを示すリンク識別情報と対応付けて、該リンクを構成する前記物理回線を示す物理回線情報を記憶する記憶部と、
前記リンクにて送信されるべき通信データを、該リンクを示すリンク識別情報と対応付けて前記記憶部に記憶される物理回線情報により示される物理回線により送信する送信部と、
前記リンクにて受信されるべき通信データを、該リンクを示すリンク識別情報と対応付けて前記記憶部に記憶される物理回線情報により示される物理回線により受信する受信部と、
を含み、
前記基地局装置及び前記交換機のうち少なくとも一方は、
前記リンク識別情報と対応付けて前記記憶部に記憶される物理回線情報により示される物理回線の使用に障害が生じたことを検出する検出部と、
前記検出部の検出結果に応じて、前記リンク識別情報と対応付けて前記基地局装置及び前記交換機に含まれる前記各記憶部に記憶される物理回線情報を、前記複数の物理回線のうち、前記リンク識別情報と対応付けて前記各記憶部に既に記憶されている物理回線情報により示される物理回線以外の物理回線を示す物理回線情報に変更する処理を行う物理回線情報変更部と、
をさらに含む、
ことを特徴とする移動体通信システム。
【請求項２】
請求項１に記載の移動体通信システムにおいて、
前記基地局装置及び前記交換機のうち少なくとも一方は、
前記複数の物理回線のうち、いずれか１つを示す物理回線情報を、前記リンク識別情報と対応付けて、前記各記憶部に記憶させることにより、該リンク識別情報により示されるリンクを設定するリンク設定部と、
前記リンク設定部によるリンクの設定に際し、前記複数の物理回線のうち、前記リンク識別情報と対応付けて前記各記憶部に記憶させた物理回線情報により示される物理回線とは異なる１又は複数の物理回線について、コネクションを確立するコネクション確立部と、
をさらに含む、
ことを特徴とする移動体通信システム。
【請求項３】
請求項１又は２に記載の移動体通信システムにおいて、
前記検出部により、前記リンク識別情報と対応付けて前記各記憶部に記憶される物理回線情報により示される物理回線の使用に障害が生じたことが検出された場合に、前記複数の物理回線のうち、その使用に障害が生じた前記物理回線以外の１又は複数の物理回線の中から、ひとつを選択する選択部、
をさらに含み、
前記物理回線情報変更部は、前記リンク識別情報と対応付けて前記各記憶部に記憶する物理回線情報を、前記選択部により選択された物理回線を示す物理回線情報に変更する、
ことを特徴とする移動体通信システム。
【請求項４】
請求項３に記載の移動体通信システムにおいて、
複数の移動局装置がそれぞれ、前記複数の物理回線のうちのいずれかを含んで構成されるリンクを用いて通信を行い、
前記選択部は、前記複数の物理回線のうち、その使用に障害が生じた前記物理回線以外の１又は複数の物理回線それぞれを含むリンクの数に応じて、該１又は複数の物理回線の中から、ひとつを選択する、
ことを特徴とする移動体通信システム。
【請求項５】
請求項３又は４に記載の移動体通信システムにおいて、
複数の移動局装置がそれぞれ、前記複数の物理回線のうちのいずれかを含んで構成されるリンクを用いて通信を行い、
前記選択部は、前記複数の物理回線のうち、その使用に障害が生じた前記物理回線以外の１又は複数の物理回線それぞれを通過する通信データの量に応じて、該１又は複数の物理回線の中から、ひとつを選択する、
ことを特徴とする移動体通信システム。
【請求項６】
請求項３乃至５に記載の移動体通信システムにおいて、
複数の移動局装置がそれぞれ、前記複数の物理回線のうちのいずれかを含んで構成されるリンクを用いて通信を行い、
前記選択部は、前記各移動局装置の無線通信状態に応じて、前記１又は複数の物理回線の中から、ひとつを選択する、
ことを特徴とする移動体通信システム。
【請求項７】
複数の物理回線を選択的に用いて通信接続されている基地局装置と交換機とを含み、移動局装置が、前記複数の物理回線のうちのいずれかを含んで構成されるリンクを用いて通信を行う移動体通信システムにおいて、前記リンクを構成する物理回線を変更するための方法であって、
前記基地局装置及び前記交換機は、
前記リンクにて送信されるべき通信データを、リンクごとに前記物理回線を示す物理回線情報を記憶する記憶部において、該リンクについて記憶される物理回線情報により示される物理回線により送信する送信ステップと、
前記リンクにて受信されるべき通信データを、該リンクについて前記記憶部に記憶される物理回線情報により示される物理回線により受信する受信ステップと、
を実行し、
前記基地局装置及び前記交換機のうち少なくとも一方は、
前記リンクについて前記記憶部に記憶される物理回線情報により示される物理回線の使用に障害が生じたことを検出する検出ステップと、
前記検出ステップにおける検出の結果に応じて、前記リンクについて前記基地局装置及び前記交換機に含まれる前記各記憶部に記憶される物理回線情報を、前記複数の物理回線のうち、前記リンクについて前記各記憶部に既に記憶されている物理回線情報により示される物理回線以外の物理回線を示す物理回線情報に変更する処理を行う物理回線情報変更ステップと、
をさらに実行する、
ことを特徴とする物理回線変更方法。
【発明の詳細な説明】
【技術分野】
【０００１】
本発明は移動体通信システム及び物理回線変更方法に関し、特に、通信の安定性を向上させるための技術に関する。
【背景技術】
【０００２】
移動体通信システムには、移動局装置が通信を開始する際にリンクを設定するようにしているものがある。このリンクは、移動局装置と基地局装置間の物理回線（例えば、周波数分割多重の例では、周波数。）のうちのひとつと、基地局装置と交換機間の物理回線（例えば、ＩＳＤＮの例では、ＢＣＨ。）のうちのひとつと、を含んで構成される。上記設定は、リンクを構成する物理回線を特定するための処理である。通信データは、リンクを構成する物理回線を順に辿って、送受信される。
【０００３】
このようなリンクを用いる場合、切断や輻輳により、基地局装置と交換機間の物理回線の使用に障害が生ずると、リンクの再設定が必要になる。
【０００４】
なお、特許文献１には、通信網の切断や輻輳を利用者に通知することに関する技術が記載されている。
【特許文献１】特開平６−１４１０７３号公報
【発明の開示】
【発明が解決しようとする課題】
【０００５】
上記再設定では、その使用に障害が生じた物理回線が直接収容されている基地局装置及び交換機はもちろん、移動局装置においても再設定処理を行うこととなる。これにより、移動局装置の処理負荷が大きくなってしまう。
【０００６】
従って、本発明の課題の一つは、基地局装置と交換機間の物理回線の使用に障害が生じた場合に、移動局装置の処理負荷が大きくなってしまうことを防止する移動体通信システム及び物理回線変更方法を提供することにある。
【課題を解決するための手段】
【０００７】
上記課題を解決するための本発明にかかる移動体通信システムは、複数の物理回線を選択的に用いて通信接続されている基地局装置と交換機とを含み、移動局装置が、前記複数の物理回線のうちのいずれかを含んで構成されるリンクを用いて通信を行う移動体通信システムであって、前記基地局装置及び前記交換機は、前記リンクを示すリンク識別情報と対応付けて、該リンクを構成する前記物理回線を示す物理回線情報を記憶する記憶部と、前記リンクにて送信されるべき通信データを、該リンクを示すリンク識別情報と対応付けて前記記憶部に記憶される物理回線情報により示される物理回線により送信する送信部と、前記リンクにて受信されるべき通信データを、該リンクを示すリンク識別情報と対応付けて前記記憶部に記憶される物理回線情報により示される物理回線により受信する受信部と、を含み、前記基地局装置及び前記交換機のうち少なくとも一方は、前記リンク識別情報と対応付けて前記記憶部に記憶される物理回線情報により示される物理回線の使用に障害が生じたことを検出する検出部と、前記検出部の検出結果に応じて、前記リンク識別情報と対応付けて前記基地局装置及び前記交換機に含まれる前記各記憶部に記憶される物理回線情報を、前記複数の物理回線のうち、前記リンク識別情報と対応付けて前記各記憶部に既に記憶されている物理回線情報により示される物理回線以外の物理回線を示す物理回線情報に変更する処理を行う物理回線情報変更部と、をさらに含む、ことを特徴とする。
【０００８】
これによれば、基地局装置と交換機の間に閉じた処理によりリンクを構成する物理回線を変更することができるので、基地局装置と交換機間の物理回線の使用に障害が生じた場合に、移動局装置の処理負荷が大きくなってしまうことが防止される。
【０００９】
また、上記移動体通信システムにおいて、前記基地局装置及び前記交換機のうち少なくとも一方は、前記複数の物理回線のうち、いずれか１つを示す物理回線情報を、前記リンク識別情報と対応付けて、前記各記憶部に記憶させることにより、該リンク識別情報により示されるリンクを設定するリンク設定部と、前記リンク設定部によるリンクの設定に際し、前記複数の物理回線のうち、前記リンク識別情報と対応付けて前記各記憶部に記憶させた物理回線情報により示される物理回線とは異なる１又は複数の物理回線について、コネクションを確立するコネクション確立部と、こととしてもよい。
【００１０】
コネクション型プロトコルを用いる場合には、物理回線を通信の用に供する前に、通信装置間でコネクションの確立処理が行われる。通信可能であることを互いに確認するためである。この処理には一定の時間がかかるので、物理回線情報変更部により物理回線を変更しようとする際に一定の時間を要することになる。上記通信システムによれば、変更対象となり得る物理回線について予めコネクションを確立しておくので、物理回線情報変更部による物理回線の変更を迅速に行うことができるようになる。
【００１１】
また、上記各移動体通信システムにおいて、前記検出部により、前記リンク識別情報と対応付けて前記各記憶部に記憶される物理回線情報により示される物理回線の使用に障害が生じたことが検出された場合に、前記複数の物理回線のうち、その使用に障害が生じた前記物理回線以外の１又は複数の物理回線の中から、ひとつを選択する選択部、をさらに含み、前記物理回線情報変更部は、前記リンク識別情報と対応付けて前記各記憶部に記憶する物理回線情報を、前記選択部により選択された物理回線を示す物理回線情報に変更する、こととしてもよい。
【００１２】
これによれば、物理回線情報変更部は、リンクを構成する物理回線を、選択部により選択された物理回線に変更することができる。
【００１３】
また、上記移動体通信システムにおいてさらに、複数の移動局装置がそれぞれ、前記複数の物理回線のうちのいずれかを含んで構成されるリンクを用いて通信を行い、前記選択部は、前記複数の物理回線のうち、その使用に障害が生じた前記物理回線以外の１又は複数の物理回線それぞれを含むリンクの数に応じて、該１又は複数の物理回線の中から、ひとつを選択する、こととしてもよい。
【００１４】
これによれば、選択部は、例えば最も通信数が少ない物理回線を選択することができる。
【００１５】
また、上記各移動体通信システムにおいて、複数の移動局装置がそれぞれ、前記複数の物理回線のうちのいずれかを含んで構成されるリンクを用いて通信を行い、前記選択部は、前記複数の物理回線のうち、その使用に障害が生じた前記物理回線以外の１又は複数の物理回線それぞれを通過する通信データの量に応じて、該１又は複数の物理回線の中から、ひとつを選択する、こととしてもよい。
【００１６】
これによれば、選択部は、例えば通過する通信データの量が最も少ない物理回線を選択することができる。
【００１７】
また、上記各移動体通信システムにおいて、複数の移動局装置がそれぞれ、前記複数の物理回線のうちのいずれかを含んで構成されるリンクを用いて通信を行い、前記選択部は、前記各移動局装置の無線通信状態に応じて、前記１又は複数の物理回線の中から、ひとつを選択する、こととしてもよい。
【００１８】
これによれば、選択部は、例えば無線通信状態の悪い１又は複数の移動局装置が使用している物理回線を選択することができる。
【００１９】
また、本発明にかかる物理回線変更方法は、複数の物理回線を選択的に用いて通信接続されている基地局装置と交換機とを含み、移動局装置が、前記複数の物理回線のうちのいずれかを含んで構成されるリンクを用いて通信を行う移動体通信システムにおいて、前記リンクを構成する物理回線を変更するための方法であって、前記基地局装置及び前記交換機は、前記リンクにて送信されるべき通信データを、リンクごとに前記物理回線を示す物理回線情報を記憶する記憶部において、該リンクについて記憶される物理回線情報により示される物理回線により送信する送信ステップと、前記リンクにて受信されるべき通信データを、該リンクについて前記記憶部に記憶される物理回線情報により示される物理回線により受信する受信ステップと、を実行し、前記基地局装置及び前記交換機のうち少なくとも一方は、前記リンクについて前記記憶部に記憶される物理回線情報により示される物理回線の使用に障害が生じたことを検出する検出ステップと、前記検出ステップにおける検出の結果に応じて、前記リンクについて前記基地局装置及び前記交換機に含まれる前記各記憶部に記憶される物理回線情報を、前記複数の物理回線のうち、前記リンクについて前記各記憶部に既に記憶されている物理回線情報により示される物理回線以外の物理回線を示す物理回線情報に変更する処理を行う物理回線情報変更ステップと、をさらに実行する、ことを特徴とする。
【発明を実施するための最良の形態】
【００２０】
本発明の実施の形態について、図面を参照しながら説明する。
【００２１】
図１は、本実施の形態にかかる移動体通信システム１のシステム構成を示す図である。同図に示すように、移動体通信システム１は交換機１０、基地局装置２０、移動局装置３０を含んで構成される。ここでは、移動体通信システム１がＰＨＳである場合を例にとって説明する。
【００２２】
交換機１０、基地局装置２０、移動局装置３０は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２３】
また、交換機１０、基地局装置２０、移動局装置３０は、いずれも通信装置として機能する。交換機１０と基地局装置２０とは、２本のＩＳＤＮ回線により通信接続されている。すなわち、４本のＢＣＨと、１本のＤＣＨとで通信接続されている。図１には、４本のＢＣＨのみを表示している。一方、基地局装置２０と移動局装置３０とは無線接続される。基地局装置２０は、周波数分割多重などの多重化により、複数の移動局装置３０と同時に通信を行う。
【００２４】
移動局装置３０は、図示しないネットワークとの間で、パケット通信を行う。基地局装置２０及び交換機１０は、このパケット通信にて送受信される通信データを中継する。
【００２５】
上記パケット通信では、交換機１０と移動局装置３０との間で、リンクと呼ばれる通信ルートが利用される。リンクは、移動局装置３０と基地局装置２０間の物理回線（例えば、周波数分割多重の例では、周波数。無線チャネルという。）のうちのひとつと、基地局装置２０と交換機１０間の物理回線（例えば、ＩＳＤＮの例では、ＢＣＨ。）のうちのひとつと、を含んで構成される。
【００２６】
なお、通常、１つのＢＣＨには複数のリンクが割り当てられる。すなわち、複数の移動局装置３０が、ＢＣＨを共同使用する。
【００２７】
本実施の形態では、リンクを構成するＢＣＨに障害が生じた場合に、基地局装置２０と交換機１０の間に閉じた処理により、該リンクを構成する物理回線を変更する。以下、この点について、基地局装置２０及び交換機１０の機能ブロックを参照しながら、詳細に説明する。
【００２８】
図１には、基地局装置２０及び交換機１０の機能ブロックも示されている。同図に示すように、基地局装置２０は機能的に、データ通信制御部２１、通信ルート制御部２２、タイマ制御部２３、及び４つの回線制御部２４を含んで構成される。データ通信制御部２１は、その内部に、記憶部２１１、無線通信状態取得部２１２、送信番号情報付与部２１３、送信順確認部２１４を含んで構成される。また、通信ルート制御部２２は、その内部に、リンク設定部２２１、物理回線情報変更部２２２、選択部２２３を含んで構成される。さらに、各回線制御部２４は、その内部に、コネクション確立部２４１、検出部２４２、スループット監視部２４３、回線品質監視部２４４を含んで構成される。
【００２９】
また、交換機１０は、４つの回線制御部１１と、データ通信制御部１２と、を含んで構成される。各回線制御部１１は、その内部に、コネクション確立部１１１を含んで構成される。また、データ通信制御部１２は、その内部に、記憶部１２１、送信番号情報付与部１２２、送信順確認部１２３を含んで構成される。
【００３０】
まず、リンクの設定処理にかかる構成について説明する。移動局装置３０が通信を開始する際、リンク設定部２２１は、該移動局装置３０についてのリンクを設定する。具体的には、リンク設定部２２１は、各ＢＣＨについて交換機１０との間でコネクションを確立するとともに、１つの無線チャネルについて移動局装置３０との間でコネクションを確立する。そして、コネクションが確立したＢＣＨのうちのひとつを示す物理回線情報と、設定するリンクを示すリンク識別情報と、を対応付けて記憶部２１１及び記憶部１２１に記憶させる。なお、リンク設定部２２１は、記憶部１２１には、さらに上記移動局装置３０を示す移動局装置識別情報についても、上記リンク識別情報と対応付けて記憶させる。また、リンク設定部２２１は、コネクションが確立した無線チャネルを示す物理回線情報と、上記リンク識別情報と、を対応付けて記憶部２１１及び移動局装置３０に記憶させる。
【００３１】
ＢＣＨコネクションの確立について、詳細に説明する。
【００３２】
各回線制御部２４及び各回線制御部１１は、それぞれ特定の物理回線（ＢＣＨ）と対応付けて設置される。リンク設定部２２１は、各ＢＣＨにそれぞれ対応して設けられる回線制御部２４のコネクション確立部２４１に対し、コネクションを確立するよう、指示する。各コネクション確立部２４１は、この指示を受けると、対応するＢＣＨを利用して、交換機１０に対し、コネクション確立要求を送信する。
【００３３】
各回線制御部１１は、コネクション確立部２４１により送信された上記コネクション確立要求を受信する。回線制御部１１が対応するＢＣＨでコネクション確立要求を受信すると、コネクション確立部１１１は、基地局装置２０に対し、該ＢＣＨを使用してコネクション確立応答を返送する。
【００３４】
各回線制御部２４は、コネクション確立部１１１により送信された上記コネクション確立応答を受信する。回線制御部２４が対応するＢＣＨでコネクション確立応答を受信すると、コネクション確立部２４１は、該ＢＣＨのコネクションが確立されたことを、リンク設定部２２１に対して報告する。一方、コネクション確立要求送信後所定時間内に上記コネクション確立応答が受信されない場合、コネクション確立部２４１は、該ＢＣＨのコネクションが確立できないと判断し、その旨を、リンク設定部２２１に対して報告する。
【００３５】
リンク設定部２２１は、コネクションが確立されたＢＣＨのなかから、所定基準（例えば、既に割り当てられているリンクの数が最も少ないもの、など）により１つを選択する。そして、選択したＢＣＨを示す物理回線情報を、上記リンク識別情報と対応付けて、記憶部２１１及び記憶部１２１に記憶させる。また、リンク設定部２２１は、コネクションが確立されたＢＣＨについて、上記リンクに関するコネクションが確立されている旨を記憶する。
【００３６】
次に、通信データの送受信処理にかかる構成について説明する。まず、上り通信では、移動局装置３０は、記憶している無線チャネルを使用して、通信データを無線送信する。このとき、移動局装置３０は、記憶しているリンク識別情報を通信データに付加する。
【００３７】
データ通信制御部２１はアンテナを備えており、移動局装置３０が無線送信した通信データを受信するとともに、該通信データに付加されたリンク識別情報を取得する。
【００３８】
データ通信制御部２１は、上記通信データを、取得したリンク識別情報と対応付けて記憶部２１１に記憶される物理回線情報により示されるＢＣＨにより送信する。具体的には、データ通信制御部２１は、該ＢＣＨに対応する回線制御部２４に、上記通信データを出力する。回線制御部２４は、データ通信制御部２１から入力された通信データを、対応するＢＣＨにより、交換機１０に対して送信する。
【００３９】
各回線制御部１１は、対応するＢＣＨから入力される通信データを、データ通信制御部１２に対して出力する。
【００４０】
データ通信制御部１２は、各回線制御部１１から通信データの入力を受ける。この通信データは、上記リンク識別情報と対応付けて記憶部１２１に記憶される物理回線情報により示されるＢＣＨと対応する回線制御部１１から入力される。データ通信制御部２１は、こうして入力された通信データを、図示しないネットワークに送信する。
【００４１】
次に、下り通信では、データ通信制御部１２は、図示しないネットワークから、特定の移動局装置３０宛の通信データを受信する。データ通信制御部１２は、受信した通信データの宛先と対応付けて記憶されるリンク識別情報を記憶部１２１から読み出す。こうして読み出されたリンク識別情報により示されるリンクは、上記通信データが送信されるべきリンクである。
【００４２】
データ通信制御部１２は、上記通信データを、読み出したリンク識別情報と対応付けて記憶部１２１に記憶される物理回線情報により示されるＢＣＨにより送信する。具体的には、データ通信制御部１２は、該ＢＣＨに対応する回線制御部１１に、上記通信データを出力する。なお、このとき、データ通信制御部１２は、読み出したリンク識別情報を通信データに付加する。回線制御部１１は、データ通信制御部１２から入力された通信データを、対応するＢＣＨにより、基地局装置２０に対して送信する。
【００４３】
各回線制御部２４は、対応するＢＣＨから入力される通信データを、データ通信制御部２１に対して出力する。
【００４４】
データ通信制御部２１は、各回線制御部１１から通信データの入力を受ける。この通信データは、上記リンク識別情報と対応付けて記憶部２１１に記憶される物理回線情報により示されるＢＣＨと対応する回線制御部２４から入力される。データ通信制御部２１は、こうして入力された通信データに付加されたリンク識別情報を取得し、該リンク識別情報と対応付けて記憶部２１１に記憶される物理回線情報により示される無線チャネルにより無線送信する。
【００４５】
次に、リンクを構成するＢＣＨに障害が発生した場合の処理にかかる構成について説明する。
【００４６】
通信ルート制御部２２は、リンクを構成するＢＣＨに障害が発生したことを検出し、検出結果に応じて、リンクを制御する。以下、具体的に説明する。
【００４７】
検出部２４２は、リンク識別情報と対応付けて記憶部２１１に記憶される物理回線情報により示されるＢＣＨの使用に障害が生じたことを検出する。この障害の具体的な例としては、切断や輻輳が挙げられる。
【００４８】
選択部２２３は、検出部２４２により、リンク識別情報と対応付けて記憶部２１１に記憶される物理回線情報により示されるＢＣＨの使用に障害が生じたことが検出された場合に、複数のＢＣＨのうち、その使用に障害が生じた上記ＢＣＨ以外の１又は複数のＢＣＨの中から、ひとつを選択する。ここでは特に、選択部２２３は、リンク設定部２２１において、上記リンク識別情報により示されるリンクに関するコネクションが確立されている旨が記憶されているＢＣＨの中から、ひとつを選択する。
【００４９】
物理回線情報変更部２２３は、検出部２４２の検出結果に応じて、上記リンク識別情報と対応付けて記憶部２１１及び記憶部１２１に記憶される物理回線情報を、複数のＢＣＨのうち、上記リンク識別情報と対応付けて記憶部２１１及び記憶部１２１に既に記憶されている物理回線情報により示されるＢＣＨ以外のＢＣＨを示す物理回線情報に変更する処理を行う。
【００５０】
具体的には、物理回線情報変更部２２３は、上記リンク識別情報と対応付けて記憶部２１１及び記憶部１２１に記憶する物理回線情報を、選択部２２３により選択されたＢＣＨを示す物理回線情報に変更する。これにより、以降発生する通信データは、新たなＢＣＨにて送受信されることとなる。
【００５１】
ここで、選択部２２３の選択処理について、より具体的な例を挙げて説明する。
【００５２】
回線品質監視部２４４は、対応するＢＣＨについて、タイマ制御部２３により指示されるタイミングで、定期的にその回線品質を監視している。ここでの回線品質には、切断の有無及び輻輳の有無が含まれる。選択部２２３は、この回線品質により切断されていることや輻輳していることが示されるＢＣＨについては、選択しないようにすることが好適である。
【００５３】
また、移動体通信システム１では、複数の移動局装置３０がそれぞれ、複数のＢＣＨのうちのいずれかを含んで構成されるリンクを用いて通信を行っている。選択部２２３は、これら複数のＢＣＨのうち、その使用に障害が生じたＢＣＨ以外の１又は複数の物理回線それぞれを含むリンクの数に応じて、該１又は複数の物理回線の中から、ひとつを選択することとしてもよい。例えば、ＢＣＨ１からＢＣＨ４までの４つのＢＣＨがあり、ＢＣＨ１に障害が生じた場合において、選択部２２３は、記憶部２１１から、ＢＣＨ２乃至ＢＣＨ４をそれぞれ含んで構成されるリンクの数を取得し、取得されるリンクの数が最も少ないＢＣＨを選択するようにすることが好適である。
【００５４】
さらに、スループット監視部２４３は、対応するＢＣＨについて、タイマ制御部２３により指示されるタイミングで、定期的にそのスループット（該ＢＣＨを通過する通信データの量）を監視している。選択部２２３は、複数のＢＣＨのうち、その使用に障害が生じたＢＣＨ以外の１又は複数のＢＣＨそれぞれのスループットに応じて、該１又は複数のＢＣＨの中から、ひとつを選択することとしてもよい。例えば、選択部２２３は、最もスループットの小さいＢＣＨを選択するようにすることが好適である。
【００５５】
また、無線通信状態取得部２１２は、当該基地局装置２０と通信中の各移動局装置３０について、タイマ制御部２３により指示されるタイミングで、定期的にその無線通信状態を取得している。選択部２２３は、各移動局装置の無線通信状態に応じて、複数のＢＣＨの中から、ひとつを選択することとしてもよい。具体的な例では、選択部２２３は、無線通信状態を点数化（無線状態が良いものほど点数を高くする。）し、各ＢＣＨについて点数の合計を算出する。すなわち、ＢＣＨごとに、該ＢＣＨを含むリンクにより通信を行っている移動局装置３０について、上記点数の合計を算出する。そして、選択部２２３は、この合計が最も小さいＢＣＨを選択するようにすることが好適である。
【００５６】
選択部２２３はさらに、上記リンク数、上記スループット、上記無線通信状態にそれぞれ所定の重みをつけて点数化し、その合計に基づいて複数のＢＣＨに優先順位をつけ、優先順位の最も高いものを選択することとしてもよい。
【００５７】
次に、上述のようにしてリンクを構成する物理回線を変更する際、通信データが失われないようにするための処理にかかる構成について説明する。
【００５８】
送信番号情報付与部２１３は、順次送信する通信データに、リンクごとにシーケンシャルな番号情報である送信番号情報を付与する。送信順確認部１２３は、順次受信される通信データについて、この送信番号情報を確認することで、送信順に受信されたか否かを確認する。受信されていない通信データがあれば、送信順確認部１２３は、所定の再送処理を起動する。すなわち、受信できなかった通信データを再度送信するよう、基地局装置２０に要求する。基地局装置２０は、通信データを所定期間保持しており、再度送信するよう要求された場合、保持している通信データを、再度送信する。
【００５９】
同様に、送信番号情報付与部１２２も、順次送信する通信データに、リンクごとにシーケンシャルな番号情報である送信番号情報を付与する。送信順確認部２１４は、順次受信される通信データについて、この送信番号情報を確認することで、送信順に受信されたか否かを確認する。受信されていない通信データがあれば、送信順確認部２１４は、所定の再送処理を起動する。すなわち、受信できなかった通信データを再度送信するよう、交換機１０に要求する。交換機１０は、通信データを所定期間保持しており、再度送信するよう要求された場合、保持している通信データを、再度送信する。
【００６０】
以上説明した各処理について、基地局装置２０の処理フローを参照しながら、まとめて説明する。
【００６１】
基地局装置２０は、移動局装置３０が行っている通信を中継している間、物理回線（ＢＣＨ）に障害が発生しているか否かを監視する。物理回線に障害が発生すると（Ｓ１）これを検知し、使用可能な他の物理回線があるか否かを判定する（Ｓ２）。具体的には、コネクション確立済みの物理回線があるか否かを判定する。使用可能な他の物理回線（コネクション確立済みの物理回線）がなければ、基地局装置２０は、上記通信を切断する（Ｓ１１）。
【００６２】
使用可能な他の物理回線があれば、基地局装置２０は、それらの物理回線のそれぞれについて、回線品質、スループット、無線通信状態をそれぞれ取得する（Ｓ３，Ｓ４，Ｓ５）。基地局装置２０は、こうして取得した回線品質、スループット、無線通信状態に基づいて、物理回線選択の優先順位を算出する（Ｓ６）。そして、算出した優先順位に基づいて、物理回線を変更する（Ｓ７）。
【００６３】
基地局装置２０は、また、変更を開始する際、通信データを送信中であるか否かを判定する（Ｓ８）。送信中の通信データがある場合、送信番号情報を付与した上で、該通信データを送信する（Ｓ９）。そして、物理回線の変更が終了すると、処理を終了する（Ｓ１０）。
【００６４】
以上説明したように、移動体通信システム１によれば、基地局装置２０と交換機１０の間に閉じた処理によりリンクを構成する物理回線（ＢＣＨ）を変更することができるので、基地局装置２０と交換機１０間の物理回線の使用に障害が生じた場合に、移動局装置３０の処理負荷が大きくなってしまうことが防止される。
【００６５】
また、変更対象となり得る物理回線について予めコネクションを確立しておくので、物理回線情報変更部２２２による物理回線の変更を迅速に行うことができるようになる。
【００６６】
さらに、物理回線情報変更部２２２は、リンクを構成する物理回線を、選択部２２３により選択された物理回線に変更することができ、選択部２２３は、リンク数、通信データ量、無線通信状態等に基づいて、最適な物理回線を選択することができる。
【００６７】
なお、本発明は上記実施の形態に限定されるものではない。例えば、上記実施の形態では基地局装置２０に通信ルート制御部２２、スループット監視部２４３、回線品質監視部２４４を設けたが、これらを交換機１０に設けても良い。また、上記実施の形態ではＰＨＳの場合を例にとって説明したが、他の移動体通信システムであっても、複数の物理回線を選択的に用いて通信接続されている基地局装置と交換機とを含み、移動局装置が、これら複数の物理回線のうちのいずれかを含んで構成されるリンクを用いて通信を行う移動体通信システムであれば、本発明を適用することが可能である。
【図面の簡単な説明】
【００６８】
【図１】本発明の実施の形態にかかる移動体通信システムのシステム構成、及び基地局装置と交換機の機能ブロックを示す図である。
【図２】本発明の実施の形態にかかる基地局装置の処理フローを示す図である。
【符号の説明】
【００６９】
１  移動体通信システム、１０  交換機、１１，２４  回線制御部、１２，２１  データ通信制御部、２０  基地局装置、２２  通信ルート制御部、２３  タイマ制御部、３０  移動局装置、１１１，２４１  コネクション確立部、１２１，２１１  記憶部、１２２，２１３  送信番号情報付与部、１２３，２１４  送信順確認部、２１２  無線通信状態取得部、２２１  リンク設定部、２２２  物理回線情報変更部、２２３  選択部、２４２  検出部、２４３  スループット監視部、２４４  回線品質監視部。
【図１】
2008011109.tif 000003
【図２】
2008011109.tif 000004